(57)【要約】【課題】主に各種電子機器の操作に使用される可動接点体及びこれを用いたスイッチに関し、安価で多様な照光が可能なものを提供することを目的とする。【解決手段】可動接点５上方のベースシート４上面に凹凸状の発光部１５を形成すると共に、このベースシート４上面に複数の発光部１５を連結する略帯状の導光部１６を設けることによって、発光素子１１の光を面積の小さな帯状の導光部１６で反射させて内方へ導き、これによって複数の発光部１５を発光させることができるため、少ない数の発光素子１１で複数の発光部１５の発光が可能になると共に、別部品の導光シート用の基材も不要となるため、使用部品数が少なく組立ても容易となり、安価で多様な照光が可能な可動接点体１８、及びこれを用いたスイッチを得ることができる。【選択図】図１
2011113699.tif 000002
【特許請求の範囲】
【請求項１】
フィルム状のベースシートと、この下面に貼付された略ドーム状の複数の可動接点と、この可動接点上方の上記ベースシート上面に形成された凹凸状の発光部からなり、上記ベースシート上面に複数の発光部を連結する略帯状の導光部を設けた可動接点体。
【請求項２】
請求項１記載の可動接点体を、上面に可動接点と対向する固定接点が形成された配線基板の上面に貼付したスイッチ。
【発明の詳細な説明】
【技術分野】
【０００１】
本発明は、主に各種電子機器の操作に使用される可動接点体及びこれを用いたスイッチに関するものである。
【背景技術】
【０００２】
近年、各種電子機器、特に携帯電話等の携帯端末機器においては、周囲が暗い場合でも、押釦や表示シート等の識別や操作が容易に行えるように、発光ダイオードやＥＬ素子等を発光させて操作部の照光を行うものが増えており、これらの機器に用いられる可動接点体やスイッチにも、安価で多様な照光を行えるものが求められている。
【０００３】
このような従来の可動接点体やスイッチについて、図４及び図５を用いて説明する。
【０００４】
なお、これらの図面は構成を判り易くするために、部分的に寸法を拡大して表している。
【０００５】
図４は従来のスイッチの断面図、図５は同平面図であり、同図において、１は光透過性でフィルム状の基材で、この基材１下面の所定箇所には、凹凸状の複数の発光部２が設けられて、導光シート３が形成されている。
【０００６】
また、４はフィルム状のベースシート、５は略ドーム状で導電金属薄板製の可動接点で、複数の可動接点５が発光部２下方のベースシート４下面に、接着層（図示せず）によって貼付されると共に、可動接点５近傍を除くベースシート４下面には、下面に接着層（図示せず）が形成されたスペーサシート６が貼付されている。
【０００７】
そして、このベースシート４外周の所定箇所が、接着剤７によって導光シート３下面に貼付されて、可動接点体８が構成されている。
【０００８】
さらに、９は上下面に複数の配線パターン（図示せず）が形成された配線基板で、上面には略円形状の中央固定接点１０Ａと、これを囲む略馬蹄状または略リング状の外側固定接点１０Ｂから形成された、複数の固定接点１０が設けられている。
【０００９】
そして、この配線基板９上面に可動接点体８が、各々の可動接点５の外周が外側固定接点１０Ｂ上に載置され、可動接点５の下面中央が中央固定接点１０Ａと所定の間隙を空けて対向するように、スペーサシート６下面の接着層によって貼付されている。
【００１０】
また、１１は発光ダイオード等の発光素子で、複数の発光素子１１が導光シート３右側方や左側方の配線基板９上面に実装され、基材１の右端面や左端面に発光面を向けて配置されている。
【００１１】
さらに、１２は光透過性でフィルム状の表示シートで、下面に印刷等によって形成された遮光部１２Ａの所定箇所が、文字や記号等の形状にくり抜かれて複数の表示部１２Ｂが形成され、この表示部１２Ｂが導光シート３の発光部２上方に配置されて、スイッチが構成されている。
【００１２】
そして、このように構成されたスイッチが、携帯電話等の電子機器の操作面に装着されると共に、複数の中央固定接点１０Ａや外側固定接点１０Ｂ、複数の発光素子１１が配線パターン等を介して、機器の電子回路（図示せず）に接続される。
【００１３】
以上の構成において、表示シート１２の所定の表示部１２Ｂを下方へ押圧操作すると、この下方の導光シート３やベースシート４が撓んで可動接点５の略ドーム状の中央部が押圧され、所定の押圧力が加わると、可動接点５がクリック感を伴って下方へ弾性反転し、可動接点５の下面中央が中央固定接点１０Ａに接触することによって、中央固定接点１０Ａと外側固定接点１０Ｂが、可動接点５を介して電気的に接続された状態となる。
【００１４】
また、表示シート１２への押圧力を解除すると、弾性復帰力によって可動接点５が上方へ弾性反転し、可動接点５の下面中央が中央固定接点１０Ａから離れて、中央固定接点１０Ａと外側固定接点１０Ｂが電気的に切断された状態となる。
【００１５】
そして、このような固定接点１０の電気的接離に応じて、機器の各機能の切換えが行われると共に、機器の電子回路から発光素子１１に電源が供給されると、複数の発光素子１１が発光し、この光が右端面や左端面から導光シート３内に入射して、基材１内全体を反射しながら内方へ進む。
【００１６】
さらに、この光が基材１下面の複数の発光部２で拡散され反射して、これらの上方の表示シート１２の表示部１２Ｂを下方から照光し、複数の表示部１２Ｂが照光されることによって、周囲が暗い場合でも、表示部１２Ｂの文字や記号等の表示が識別でき、操作を容易に行うことが可能なようになっている。
【００１７】
つまり、表示シート１２を押圧操作することによって導光シート３上面を押圧し、可動接点５を弾性反転させて固定接点１０の電気的接離を行うと共に、複数の発光素子１１の光を右端面や左端面から導光シート３内に導入し、基材１内全体に反射した光で複数の発光部２を発光させることによって、表示シート１２の複数の表示部１２Ｂを照光するように構成されているものであった。
【００１８】
なお、この出願の発明に関連する先行技術文献情報としては、例えば、特許文献１が知られている。
【先行技術文献】
【特許文献】
【００１９】
【特許文献１】特開２００９−９４０３６号公報
【発明の概要】
【発明が解決しようとする課題】
【００２０】
しかしながら、上記従来の可動接点体８やスイッチにおいては、ベースシート４上面に導光シート３を貼付して可動接点体８が構成されると共に、右端面や左端面から導光シート３内に入射した複数の発光素子１１の光を、面積の大きな基材１内全体に反射させて、複数の発光部２の発光を行っているため、多くの発光部２を明るく発光させるには、多数の発光素子１１を導光シート３の右側方や左側方に配置する必要があり、使用部品数が増え高価なものになると共に、組立てにも時間がかかってしまうという課題があった。
【００２１】
本発明は、このような従来の課題を解決するものであり、使用する発光素子を少なくし、安価で多様な照光が可能な可動接点体及びこれを用いたスイッチを提供することを目的とする。
【課題を解決するための手段】
【００２２】
上記目的を達成するために本発明は、以下の構成を有するものである。
【００２３】
本発明の請求項１に記載の発明は、可動接点上方のベースシート上面に凹凸状の発光部を形成すると共に、このベースシート上面に複数の発光部を連結する略帯状の導光部を設けて可動接点体を構成したものであり、発光素子の光を面積の小さな帯状の導光部で反射させて内方へ導き、これによって複数の発光部を発光させることができるため、少ない数の発光素子で複数の発光部の発光が可能になると共に、別部品の導光シート用の基材も不要となるため、使用部品数が少なく組立ても容易となり、安価で多様な照光が可能な可動接点体を得ることができるという作用を有する。
【００２４】
請求項２に記載の発明は、請求項１記載の可動接点体を、上面に可動接点と対向する固定接点が形成された配線基板の上面に貼付してスイッチを構成したものであり、安価で多様な照光が可能なスイッチを実現することができるという作用を有する。
【発明の効果】
【００２５】
以上のように本発明によれば、安価で多様な照光が可能な可動接点体、及びこれを用いたスイッチを実現することができるという有利な効果が得られる。
【図面の簡単な説明】
【００２６】
【図１】本発明の一実施の形態による可動接点体の断面図
【図２】同平面図
【図３】同スイッチの断面図
【図４】従来のスイッチの断面図
【図５】同平面図
【発明を実施するための形態】
【００２７】
以下、本発明の実施の形態について、図１〜図３を用いて説明する。
【００２８】
なお、これらの図面は構成を判り易くするために、部分的に寸法を拡大して表している。
【００２９】
また、背景技術の項で説明した構成と同一構成の部分には同一符号を付して、詳細な説明を簡略化する。
【００３０】
（実施の形態）
図１は本発明の一実施の形態による可動接点体の断面図、図２は同平面図であり、同図において、４はポリエチレンテレフタレート等の可撓性を有するフィルム状のベースシート、５は略ドーム状で銅合金や鋼等の導電金属薄板製の可動接点で、複数の可動接点５がベースシート４下面に、アクリルやシリコーン等の接着層（図示せず）によって貼付されている。
【００３１】
そして、この可動接点５上方のベースシート４上面には、凹凸状でポリエステルやエポキシ等の白色や乳白色等の複数の発光部１５が、印刷等によってドット状に形成されている。
【００３２】
また、ベースシート４上面には、略帯状でウレタンやアクリル等の光透過性の導光部１６が、印刷等によって０．０５〜０．２ｍｍ前後の厚さで設けられ、この導光部１６が複数の発光部１５を覆うと共に、複数の発光部１５とベースシート４右端部や左端部を連結するように、略枝状に分岐して形成されている。
【００３３】
さらに、６はポリエチレンテレフタレート等のフィルム状のスペーサシート、１７は同じくフィルム状のセパレータで、下面にアクリルやシリコーン等の接着層（図示せず）が形成されたスペーサシート６が、可動接点５近傍を除くベースシート４下面に貼付されると共に、この下面にセパレータ１７がベースシート４下面全面を覆うように貼付され、保管・搬送時に可動接点５下面に塵埃等が付着しないようにして、可動接点体１８が構成されている。
【００３４】
なお、このような可動接点体１８は、ベースシート４上面にスクリーン印刷等によって複数の発光部１５を形成した後、同じくスクリーン印刷等によって導光部１６を設け、ベースシート４下面に複数の可動接点５やスペーサシート６、セパレータ１７を順次貼付することで、比較的簡易に製作することができる。
【００３５】
つまり、本発明の可動接点体１８は、下面に可動接点５が貼付されたベースシート４上面に凹凸状の複数の発光部１５を形成すると共に、このベースシート４上面に複数の発光部１５を連結する略帯状の導光部１６を設けた構成となっているため、別部品の導光シート用の基材が不要となり、使用部品数が少なくなると共に、組立ても容易に行うことが可能なようになっている。
【００３６】
また、図３は上記のような可動接点体１８を用いたスイッチの断面図であり、同図において、９はポリエチレンテレフタレートやポリカーボネート等のフィルム状、または紙フェノールやガラス入りエポキシ等の板状の配線基板で、上下面に銅等によって複数の配線パターン（図示せず）が形成されると共に、上面には銅やカーボン等によって、略円形状の中央固定接点１０Ａと、これを囲む略馬蹄状または略リング状の外側固定接点１０Ｂから形成された、複数の固定接点１０が設けられている。
【００３７】
そして、この配線基板９上面にセパレータ１７を剥離した可動接点体１８が、各々の可動接点５の外周が外側固定接点１０Ｂ上に載置され、可動接点５の下面中央が中央固定接点１０Ａと所定の間隙を空けて、対向するように貼付されている。
【００３８】
また、１１は発光ダイオード等の発光素子で、複数の発光素子１１が可動接点体１８右側方や左側方の配線基板９上面に実装され、導光部１６の右端面や左端面に発光面を向けて配置されている。
【００３９】
さらに、１２は光透過性でフィルム状の表示シートで、下面に印刷等によって形成された遮光部１２Ａの所定箇所が、文字や記号等の形状にくり抜かれて複数の表示部１２Ｂが形成され、この表示部１２Ｂが可動接点体１８の発光部１５上方に配置されて、スイッチが構成されている。
【００４０】
そして、このように構成されたスイッチが、携帯電話等の電子機器の操作面に装着されると共に、複数の中央固定接点１０Ａや外側固定接点１０Ｂ、複数の発光素子１１が配線パターン等を介して、機器の電子回路（図示せず）に接続される。
【００４１】
以上の構成において、表示シート１２の所定の表示部１２Ｂを下方へ押圧操作すると、この下方の導光部１６やベースシート４が撓んで可動接点５の略ドーム状の中央部が押圧され、所定の押圧力が加わると、可動接点５がクリック感を伴って下方へ弾性反転し、可動接点５の下面中央が中央固定接点１０Ａに接触することによって、中央固定接点１０Ａと外側固定接点１０Ｂが、可動接点５を介して電気的に接続された状態となる。
【００４２】
また、表示シート１２への押圧力を解除すると、弾性復帰力によって可動接点５が上方へ弾性反転し、可動接点５の下面中央が中央固定接点１０Ａから離れて、中央固定接点１０Ａと外側固定接点１０Ｂが電気的に切断された状態となる。
【００４３】
そして、このような固定接点１０の電気的接離に応じて、機器の各機能の切換えが行われると共に、機器の電子回路から発光素子１１に電源が供給されると、複数の発光素子１１が発光し、この光が右端面や左端面から略帯状の導光部１６内に入射して、導光部１６内を反射しながら分岐して内方へ進む。
【００４４】
さらに、この光が導光部１６内の複数の発光部１５で拡散され反射して、これらの上方の表示シート１２の表示部１２Ｂを下方から照光し、複数の表示部１２Ｂが照光されることによって、周囲が暗い場合でも、表示部１２Ｂの文字や記号等の表示が識別でき、操作を容易に行うことが可能なようになっている。
【００４５】
つまり、表示シート１２を押圧操作することによってベースシート４上面を押圧し、可動接点５を弾性反転させて固定接点１０の電気的接離を行うと共に、複数の発光素子１１の光を右端面や左端面から導光部１６内に導入し、導光部１６内で反射した光で複数の発光部１５を発光させることによって、表示シート１２の複数の表示部１２Ｂを照光するように構成されている。
【００４６】
そして、この時、右側方や左側方の発光素子１１からの光は、右端面や左端面から略帯状の導光部１６内に入射し、このベースシート４全体に比べ面積の小さな帯状の導光部１６内で反射しながら内方へ進み、これによって複数の発光部１５が発光するため、導光部１６内を反射しながら分岐して進む間の、光の輝度の劣化が少なくなるようになっている。
【００４７】
すなわち、可動接点５上方のベースシート４上面に凹凸状の発光部１５を形成すると共に、このベースシート４上面に複数の発光部１５を連結する略帯状の導光部１６を設けることで、少ない数の発光素子１１でも、複数の発光部１５を明るく発光させることが可能なように構成されている。
【００４８】
さらに、発光素子１１の光がベースシート４上面に一体に形成された、導光部１６内で反射しながら内方へ進むように構成されているため、上述したように、別部品の導光シート用の基材も不要となり、使用部品数が少なくなると共に、組立ても容易に行えるようになっている。
【００４９】
また、図２に示したように、略帯状の導光部１６の、発光素子１１の光が入射する右端面や左端面の近傍は幅をやや大きく形成し、ベースシート４内方は幅をやや小さくする等、発光部１５の数や寸法に合わせて導光部１６の幅を調整することで、離れた箇所の複数の発光部１５をムラなく、均等な明るさで発光させることができる。
【００５０】
さらに、ベースシート４を白色や乳白色に形成するか、あるいはベースシート４が透明等の光透過性である場合には、導光部１６の屈折率をベースシート４よりも少し高く、例えば導光部１６の屈折率を１．５５前後、ベースシート４の屈折率を１．５０前後に形成することで、導光部１６内を反射しながら進む光をより明るく維持することができる。
【００５１】
このように本実施の形態によれば、可動接点５上方のベースシート４上面に凹凸状の発光部１５を形成すると共に、このベースシート４上面に複数の発光部１５を連結する略帯状の導光部１６を設けることによって、発光素子１１の光を面積の小さな帯状の導光部１６で反射させて内方へ導き、これによって複数の発光部１５を発光させることができるため、少ない数の発光素子１１で複数の発光部１５の発光が可能になると共に、別部品の導光シート用の基材も不要となるため、使用部品数が少なく組立ても容易となり、安価で多様な照光が可能な可動接点体１８、及びこれを用いたスイッチを得ることができるものである。
【産業上の利用可能性】
【００５２】
本発明による可動接点体及びこれを用いたスイッチは、安価で多様な照光が可能なものが得られ、主に各種電子機器の操作用として有用である。
【符号の説明】
【００５３】
４  ベースシート
５  可動接点
６  スペーサシート
９  配線基板
１０  固定接点
１０Ａ  中央固定接点
１０Ｂ  外側固定接点
１１  発光素子
１２  表示シート
１２Ａ  遮光部
１２Ｂ  表示部
１５  発光部
１６  導光部
１７  セパレータ
１８  可動接点体
【図１】
2011113699.tif 000003
【図２】
2011113699.tif 000004
【図３】
2011113699.tif 000005
【図４】
2011113699.tif 000006
【図５】
2011113699.tif 000007